(57)【特許請求の範囲】
【請求項１】
切断材を載置するテーブルと、該テーブルに対して上下動可能に支持された切断機本体と、前記テーブル上に切断材を固定するためのバイス装置を備えた切断機であって、
前記バイス装置は、前記切断材をテーブル面方向に挟み込んで固定する第１及び第２ブロック体と、前記切断材の上面に当接させる第３ブロック体と、前記切断機本体の下動動作に連動して前記第３ブロック体を前記切断材の上面に押圧する押圧部材を備え、
前記第３ブロック体に、前記第１ブロック体又は第２ブロック体の少なくとも一方を取り付けた切断機。
【請求項２】
請求項１記載の切断機であって、テーブルに第１リンクアームを設け、該第１リンクアームに上下方向に回動可能に第２リンクアームを連結し、該第２リンクアームに上下方向に回動可能に第３ブロック体を連結した切断機。
【請求項３】
切断材を載置するテーブルと、該テーブルに対して上下動可能に支持された切断機本体と、前記テーブル上に切断材を固定するためのバイス装置を備えた切断機であって、
前記バイス装置は、前記テーブル面上に設けられて、前記切断材をテーブル面方向に挟み込んで固定する第１及び第２ブロック体と、前記切断材の上面に当接させる第３ブロック体を備え、
前記第３ブロック体は、前記第１ブロック体に上下方向回動可能に支持した支持アームに上下方向回動可能に支持され、該支持アームは、前記第３ブロック体を切断材の上面に押圧する方向に付勢され、かつ切断機本体の下動動作に連動して該付勢力により下方へ回動して前記第３ブロック体を前記切断材の上面に押圧する構成とした切断機。
【発明の詳細な説明】
【０００１】
【発明の属する技術分野】
この発明は、例えば卓上形のマルノコ盤等の切断機であって、切断材料を載せるテーブルに対して切断刃を備えた切断機本体が上下動可能に支持された形態の切断機に関する。
【０００２】
【従来の技術】
例えば、上記切断機のテーブルには、切断材を固定するめのバイス装置を付設したものが提供されている。このバイス装置は、テーブル面上に固定した第１ブロック体と該第１ブロック体に対してテーブル面上を平行移動する第２ブロック体を備え、該第２ブロック体と第１ブロック体との間に切断材をセットし、然る後第２ブロック体の背面に設けたねじ軸を回転させて該第２ブロック体をセットした切断材に押し付けることにより、該切断材を第１ブロック体との間に挟み込み、これにより切断材をテーブル上に固定する構成となっていた。
【０００３】
【発明が解決しようとする課題】
このように、従来のバイス装置は、第１ブロック体と第２ブロック体との間に挟み込んで切断材を固定する横バイス形式（テーブル面方向に沿った力を加えて挟み込むことにより切断材を固定する形式）のバイス装置となっていた。
ところが、一般的に切断機の鋸刃はテーブル面に直交する方向（縦方向）に配置されているため、その回転により切断材にはテーブルに押し付けられる方向の力（鋸刃の押し付け力）に加えて、テーブルから浮き上がらせる方向の力も作用する。このため、バイス装置の拘束力が弱い場合には、切断加工時において切断材がテーブルから浮き上がる問題がある。
【０００４】
特に、例えばＣ字形のチャンネル材であって比較的肉厚の薄い軽量鉄骨材（切断材）を複数本束ねて一度に切断する場合には、切断材を変形させない程度の比較的弱い拘束力で固定するため、切断材がテーブルから浮き上がってしまいやすい問題があった。特に、複数の切断材のうちすでに切断された切断材の切断口が鋸刃の主として刃先に干渉することにより、該切断済み切断材がテーブルから浮き上がりやすいという問題があった。
本発明は、この問題に鑑みなされたもので、例えば大きな拘束力を加えることのできない薄肉の切断材を複数一度に固定した場合であっても、これら複数の切断材を加工抵抗等によりテーブルから浮き上がらせることなく強固に固定しておくことができるバイス装置を備えた切断機を提供することを目的とする。
【０００５】
【課題を解決するための手段】
このため、本発明は前記各請求項に記載した構成の切断機とした。
請求項１記載の切断機によれば、テーブル上にセットした切断材が第１及び第２ブロック体により挟み込まれてテーブル面方向に移動不能に固定される。この第１及び第２ブロック体がいわゆる横バイス装置の機能を有している。
【０００６】
また、切断材を切断加工するために切断機本体を下動させると、切断材の上面に当接された第３ブロック体が押圧部材により切断材の上面に弾性的に押圧され、これにより切断材のテーブルからの浮き上がりが防止される。この第３ブロック体がいわゆる縦バイス装置の機能を有している。
このように、第３ブロック体によって切断材の浮き上がりが防止されるので、第１及び第２ブロック体（横バイス）により大きな拘束力で固定しなくても、切断加工時における切断材の浮き上がりを防止することができ、従って、前記薄肉のチャンネル材等を変形させることなくスムーズに切断加工することができる。
【０００７】
第３ブロック体は、押圧部材により切断材の上面に対して弾性的に押圧されるので、切断材を変形させることなく該切断材のテーブルからの浮き上がりを防止することができる。また、切断機本体の下動動作に連動して第３ブロック体が切断材の上面に押圧されるので、必要時に特別の操作をすることなく、当該バイス装置を機能させることができ、これにより効率のよい切断作業を行うことができる。
さらに、第１ブロック体又は第２ブロック体の少なくとも一方が第３ブロック体に取り付けられているので、第１及び第２ブロック体の双方をテーブル上に配置した構成に比して、テーブル上のスペースをより広く活用することができる。
【０００８】
請求項２記載の切断機によれば、上記作用効果に加えて、任意の高さの切断材の上面に第３ブロック体を全面当たり状態で当接させることができる。また、第３ブロック体の移動姿勢の自由度が高まるので、その切断材に対するセット作業及び取り外し作業を迅速かつ楽に行うことができる。
【０００９】
請求項３記載の切断機によれば、テーブル上に切断材をセットした後、この切断材を切断加工するため切断機本体を下動させると、付勢力により支持アームが下方へ回動する。支持アームが下方へ回動すると、先ず第３ブロック体が切断材の上面に当接され、然る後さらに切断機本体を下動させることにより第３ブロック体が支持アームの付勢力により切断材の上面に弾性的に押圧されて、該切断材のテーブルから浮き上がりが防止される。
【００１０】
【発明の実施の形態】
次に、本発明の第１実施形態を図１〜図７に基づいて説明する。図１は第１実施形態の切断機１の全体を示している。この切断機１は、切断材Ｗ〜Ｗを載置するためのテーブル２と、該テーブル２に上下に傾動可能に支持された切断機本体３と、切断材Ｗ〜Ｗをテーブル２上に固定するためのバイス装置１０を備えている。
また、以下例示する切断機１により切断される切断材Ｗの一例として、薄肉の断面Ｃ字形のチャンネル材（いわゆる軽天材）を例示する。図示するようにこの切断材Ｗ，Ｗを２本向き合わせた組を前後に５列（合計１０本の切断材Ｗ〜Ｗ）並べた状態に固定し、これを一度に切断加工する場合を例示する。
【００１１】
テーブル２の上面端部寄りには支持ブロック４が設けられている。この支持ブロック４は、図２に示すように左右一対の支持縁４ａ，４ａを有する二股形状を有しており、この両支持縁４ａ，４ａ間に、切断機本体３のブレードケース５の下端部に設けた支持部５ａが位置している。この支持部５ａが両支持縁４ａ，４ａ間において傾動支軸６により回動支持されて、当該切断機本体３が上下に傾動可能に支持されている。傾動支軸６に押圧部材１１が取り付けられている。この押圧部材１１については後述する。
【００１２】
切断機本体３は、上記ブレードケース５と、該ブレードケース５の側部に取り付けた電動モータ７と該電動モータ７により回転する円形の切断刃８を備えている。切断刃８の上側ほぼ半分はブレードケース５に覆われている。又、切断刃８の下側ほぼ半分はセーフティカバー９に覆われている。このセーフティカバー９は当該切断機本体３の上下傾動動作に連動して開閉する。又、図中符号７ａは操作者が把持するハンドル部を示しており、このハンドル部７ａの内側には、上記電動モータ７を起動させるためのトリガ形式のスイッチ７ｂが配置されている。さらに、図中符号７ｃは電動モータ７へ電源を供給するための電源コードを示している。
ブレードケース５の支持部５ａの近傍には、台座部５ｂが形成されており、この台座部５ｂにはストッパボルト５ｃが回転可能に装着されている。一方、前記支持ブロック４の側部にはストッパブロック４ｂが設けられている。切断機本体３を下方へ傾動させると、このストッパブロック４ｂの上面に上記ストッパボルト５ｃが突き当たり、これにより切断機本体３の傾動範囲の下限が規制されている。
また、切断機本体３は図示省略したばねにより上方へ傾動する方向に付勢されている。このため、操作者が下動操作しないと、切断機本体３は上動端に位置保持される。切断加工をする際に、操作者は上記ばねの付勢力に抗して切断機本体３を下方へ傾動させる。
【００１３】
次に、バイス装置１０は、テーブル２の上面に取り付けた第１ブロック体１２と、この第１ブロック体１２との間に切断材Ｗ〜Ｗを挟み込むための第２ブロック体１３と、切断材Ｗ〜Ｗの上面に当接させる第３ブロック体２０と、前記押圧部材１１を備えている。第１ブロック体１２の図示右側面に切断材Ｗ〜Ｗが当接されている。
テーブル２の上面の図示右端部には第１リンクアーム２１が取り付けられている。この第１リンクアーム２１の上端には、支軸２２を介して第２リンクアーム２３が上下に回動可能に支持されており、この第２リンクアーム２３の回動先端側に支軸２４を介して上記第３ブロック体２０が上下に回動可能に支持されている。
【００１４】
図３に示すように、支軸２２の一端には蝶ナット２２ａが装着されている。この蝶ナット２２ａを締め付けると、第２リンクアーム２３を回動不能に固定することができる。蝶ナット２２ａを締め付けて第２リンクアーム２３を回動不能に固定した状態では第３ブロック体２０は上下に回動動作のみ可能となり、蝶ナット２２ａを緩めて第２リンクアーム２３を上下に回動可能な状態にすれば、第３ブロック体２０は上下に回動可能かつ上下に平行移動可能となる。図１中、一点鎖線で示した円は、支軸２２を中心とする支軸２４の移動軌跡Ｃを示している。この移動軌跡Ｃの上端または下端に支軸２４を位置させた範囲で第３ブロック体２０の高さを変更することができる。
上記のように第３ブロック体２０は、第１リンクアーム２１に回動可能な第２リンクアーム２３に回動可能に連結されていることにより、複雑な経路で移動させることができる。例えば、図４に示すように上方へ大きく傾動させてテーブル２の上方から退避させることにより、切断材Ｗ〜Ｗのテーブル２へのセット作業或いは取り外し作業を楽に行うことができる。また、図５に示すように支軸２４側を上げて傾斜させた状態で移動させることにより第３ブロック体２０の先端部（受けピン２０ｃ，２０ｃ）を、押圧部材１１と切断材Ｗ〜Ｗとの間にスムーズに入り込ませることができる。
【００１５】
第３ブロック体２０は、図２に示すように回動先端側から溝部２０ａを切り込み形成した二股の平板形状（平面視Ｕ字形）を有している。この溝部２０ａは、切断作業時における切断刃８と第３ブロック体２０との干渉を回避するために設けられており、切断刃８の逃がし溝として機能する。この第３ブロック体２０により切断刃８との干渉を回避しつつ、切断刃８に極力近い部位で切断材Ｗ〜Ｗを押さえ付けることができる。
第３ブロック体２０の周縁及び溝部２０ａの周縁には、平板形状としての剛性を持たせるためにリブ２０ｂ〜２０ｂが形成されている。この第３ブロック体２０の先端には２本の受けピン２０ｃ，２０ｃが軸方向に並んで取り付けられている。この両受けピン２０ｃ，２０ｃにより前記押圧部材１１の先端部がそれぞれ受けられ、これにより第３ブロック体２０の傾動先端側が押圧部材１１によって下方へ弾性的に押圧される。
【００１６】
押圧部材１１は、切断機本体３の傾動支軸６に装着されている。この押圧部材１１は、図２に示すように１本の線形のばね鋼を折り曲げて所定の形状に製作したもので、傾動支軸６に装着された捩りばね部１１ａと上記第３ブロック体２０の両受けピン２０ｃ，２０ｃに押圧される２つの板ばね部１１ｂを有している。捩りばね部１１ａは傾動支軸６に対して特に固定されてはいないが、板ばね部１１ｂの下側であって支持部５ａには止め板部４ｃが形成されており、この止め板部４ｃにより当該押圧部材１１の図示時計回り方向の回動が規制されている。
【００１７】
図１に示すように切断機本体３が上動端位置またはその近傍に位置している状態では、板ばね部１１ｂは止め板部４ｃに単に当接しただけの状態となっており、かつ捩りばね部１１ａの端部１１ｃ，１１ｃ（当該押圧部材１１を構成するばね鋼の両端部）が規制を受けない自由状態となっているため、この状態では捩りばね部１１ａの付勢力は発生していない。また、この状態ではばね板部１１ｂは、第３ブロック体２０の両受けピン２０ｃ，２０ｃから離れている（押圧部材１１の自由状態）。上記止め板部４ｃは、切断機本体３が上動端位置若しくはその近傍に位置する場合に、押圧部材１１の板ばね部１１ｂを一定高さ（図１に示す位置）に保持する機能を有している。
【００１８】
これに対して、図４及び図５に示すように切断機本体３を下動させると、板ばね部１１ｂの先端が、第３ブロック体２０の両受けピン２０ｃ，２０ｃに当接してその下方への変位が規制された状態になるとともに、捩りばね部１１ａの端部１１ｃ，１１ｃが切断機本体３の支持部５ａに形成した係合部（図示省略）に係合して強制的に下方（切断機本体３の下動方向）に変位される状態となり、これにより捩りばね部１１ａに付勢力が発生する。この付勢力は、板ばね部１１ｂを第３ブロック体２０の受けピン２０ｃ，２０ｃに押し付け、その結果第３ブロック体２０を切断材Ｗ〜Ｗの上面に押し付ける方向に働く。また、切断機本体３を下動させるほど捩りばね部１１ａの付勢力は大きくなる。
押圧部材１１によって第３ブロック体２０が切断材Ｗ〜Ｗの上面に押圧されることにより、切断加工時における切断刃８の抵抗によって該切断材Ｗ〜Ｗがテーブル２の上面から浮き上がることが防止される。
【００１９】
次に、第３ブロック体２０の下面側には、第２ブロック体１３が取り付けられている。この第２ブロック体１３は、切断材Ｗ〜Ｗの図示右側面に当接され、前記第１ブロック体１２との間に切断材Ｗ〜Ｗを挟み込んで固定する。この第１及び第２ブロック体１２，１３がいわゆる横バイスを構成している。
第２ブロック体１３は第１ブロック体１２に対して接近、離間する方向に沿って位置調整可能となっている。すなわち、第３ブロック体２０には図１において左右方向に長いガイド孔２０ｄ，２０ｄが、溝部２０ａの両側に相互に平行に形成されている。このガイド孔２０ｄ，２０ｄを介して第２ブロック体１３が固定ねじ１４，１４により固定されている。この固定ねじ１４，１４を緩めれば第２ブロック体１３をガイド孔２０ｄ，２０ｄに沿って移動させることができ、これにより第１ブロック体１２との間隔を変更して、幅の異なる切断材Ｗを挟み込むことができる。
【００２０】
以上のように構成した第１実施形態の切断機１によれば、以下の操作により切断材Ｗ〜Ｗを切断加工することができる。先ず、切断材Ｗ〜Ｗをテーブル２上に載置して第１ブロック体１２に当接させる。然る後、第３ブロック体２０を切断材Ｗ〜Ｗの上面に当接させる。この際、蝶ナット２２ａは緩めておくことにより、第２リンクアーム２３が上下に回動可能な状態としておく。これにより、支軸２４の位置を高さ方向に変位させつつ第３ブロック体２０を任意の角度に傾斜させた状態でテーブル２の面方向に移動させることができるので、その先端部（受けピン２０ｃ，２０）を、押圧部材１１の下側へスムーズに入り込ませることができる。
また、第２リンクアーム２３が回動可能であることにより第３ブロック体２０を上下に平行移動させることができるので、該第３ブロック体２０を任意の高さの切断材Ｗ〜Ｗの上面に全面当たり状態で（ピタリと）当接させることができ、これにより切断材Ｗ〜Ｗのテーブル２からの浮き上がりをより確実に防止することができる。
さらに、固定ねじ１４，１４も緩めておき、第２ブロック体１３を移動可能な状態としておく。
【００２１】
第３ブロック体２０を切断材Ｗ〜Ｗの上面にピタリと当接させた後、蝶ナット２２ａを締め込んで第２リンクアーム２３を回動不能に固定する。これにより支軸２４の高さ方向の位置はロックされ、従って第３ブロック体２０は平行移動が規制された状態となる。但し、この段階では第３ブロック体２０は支軸２４を中心にして上下に傾動可能な状態となっている。
第３ブロック体２０を切断材Ｗ〜Ｗの上面に当接させた状態に固定した後、第２ブロック体１３を切断材Ｗ〜Ｗの右側面に当接させて、第１ブロック体１２との間に切断材Ｗ〜Ｗを挟み込んだ状態とする。第１ブロック体１２と第２ブロック体１３との間に切断材Ｗ〜Ｗを挟み込んで該切断材Ｗ〜Ｗがテーブル２の面方向にガタツキのないことを確認して、固定ねじ１４，１４を締め込んで第２ブロック体１３を固定する。
以上の操作を行う間、切断機本体３は上動端に位置しており、従って、押圧部材１１の両板ばね部１１ｂ，１１ｂは、第３ブロック体２０の受けピン２０ｃ，２０ｃから離れた位置に保持されている。
【００２２】
以上のようにして、切断材Ｗ〜Ｗをテーブル２上にセットした後、スイッチ７ｂをオン操作して電動モータ７を起動するとともに、切断機本体３をばね付勢力に抗して下動させる。切断機本体３の下動動作に連動してセーフティカバー９が開かれて、回転する切断刃８が露出される。なお、電動モータ７は、切断機本体３を下動させて切断刃８が切断材Ｗ〜Ｗに接触する直前に起動させてもよい。
切断機本体３を下動させると、図６に示すように押圧部材１１が一体となって下動方向（図示時計回り方向）に回動して、その板ばね部１１ｂ，１１ｂが第３ブロック体２０の受けピン２０ｃにそれぞれ当接する。このため、以後、板ばね部１１ｂ，１１ｂの下方への変位が規制される。
そのまま、さらに切断機本体３を下方へ傾動させると、露出された切断刃８が切断材Ｗ〜Ｗに接近するとともに、捩りばね部１１ａに付勢力が発生して板ばね部１１ｂ，１１ｂが受けピン２０ｃ，２０ｃを介して第３ブロック体２０の先端部に弾性的に押圧される。なお、板ばね部１１ｂ，１１ｂが受けピン２０ｃ，２０ｃに当接した後、切断機本体３を下動させると、止め板部４ｃが押圧部材１１から離れる。また、捩りばね部１１ａの付勢力は、止め板部４ｃが押圧部材１１から離れた後、さらに切断機本体３が下方に傾動して捩りばね部１１ａの端部１１ｃ，１１ｃが下方へ変位することにより発生する。
【００２３】
このように押圧部材１１の板ばね部１１ｂ，１１ｂが第３ブロック体２０の受けピン２０ｃ，２０ｃに押圧され、これにより第３ブロック体２０が切断材Ｗ〜Ｗの上面に弾性的に押し付けられることにより、該切断材Ｗ〜Ｗがテーブル２の上面から浮き上がらないよう押さえ付けられた状態となる。この切断材押さえ付け状態で、切断刃８により切断材Ｗ〜Ｗが切断加工される。この切断加工により発生する切断抵抗により切断材Ｗ〜Ｗにテーブル浮きあがり方向の力が加えられても、切断材Ｗ〜Ｗは第３ブロック体２０によりテーブル２から浮き上がらないよう押さえ付けられているので、テーブル２から浮き上がることはなく、これによりスムーズな切断加工を行うことができる。
このことから、第１及び第２ブロック体１２，１３のみによって浮き上がらないよう強固に固定する必要がない（テーブル２の面方向に移動しないよう固定すれば足りる）ので、切断材Ｗ〜Ｗが例えば薄肉のチャンネル材等であってもこれを変形させることなく、かつテーブル２から浮き上がらせることなく、スムーズに切断加工することができる。
また、第３ブロック体２０により、切断部位に極めて近い部位が押さえ付けられ、かつ切断刃８の両側が押さえ付けられるので、切断材Ｗ〜Ｗの浮き上がりが効果的に防止される。
【００２４】
さらに、第３ブロック体２０は、第１及び第２リンクアーム２１，２３を介して支持されているので、図４に示すように該第３ブロック体２０を上方へ大きく開いて切断材Ｗ〜Ｗのテーブル２へのセットを楽に行うことができ、また図５に示すように第３ブロック体２０のセットに際してその先端側（受けピン２０ｃ側）を低くした傾斜姿勢で移動させることにより、該先端側を押圧部材１１の下側へ簡単に進入させることができ、これにより該第３ブロック体２０のセット作業を楽に行うことができる。
【００２５】
以上説明した第１実施形態には、種々変更を加えることができる。例えば、溝部２０ａを設けることにより一体形の第３ブロック体２０により切断刃８の両側を押さえ付ける構成を例示したが、切断刃８の両側をそれぞれ別体で設けた第３ブロック体により押さえ付ける構成としてもよい。
また、蝶ナット２２ａを締め込むことにより第２リンクアーム２３を第１リンクアーム２１に対して固定する構成を例示したが、支軸２４にねじ部を設けてこの支軸２４にナットを締め込むことにより第３ブロック体２０を第２ブロック体１３に対して固定する構成としてもよい。要は、支軸２２または支軸２４による２カ所の回動支持部のうち一方を回動不能に固定できる構成であればよい。
【００２６】
また、第１ブロック体１２をテーブル２上に取り付けた構成を例示したが、第１及び第２ブロック体の双方を、第３ブロック体に取り付ける構成としてもよい。
さらに、第３ブロック体２０を第２リンクアーム２３に対して上下方向に回動支持した構成を例示したが、第３ブロック体を第２リンクアームの先端に水平方向に回動可能に支持する構成としてもよい。この構成の場合、第２リンクアームを第１リンクアームに対して上下に回動させることにより第３ブロック体を高さ方向に変位させることができ、水平方向に回動させることにより切断材Ｗに対するセット・取り外しを行うことができる。
【００２７】
さらに、以上説明した第１実施形態では、切断機本体３を下動させるに先立って、第３ブロック体２０を切断材Ｗ〜Ｗの上面に当接させた状態にセットする必要があったが、このセット作業をも必要としない構成とすることができる。図８〜図１１はこの第２実施形態の切断機５０を示している。
この第２実施形態における切断機５０は、テーブル２と、このテーブル２に上下に傾動可能に支持した切断機本体３と、テーブル２上に切断材Ｗ〜Ｗを固定するためのバイス装置５１を備えている。テーブル２及び切断機本体３の構成は、後述する係合ピン５ｄを除いて前記第１実施形態と同様であるのでその説明を省略し、また以下の説明では同位の符号を用いる。
【００２８】
第２実施形態に係るバイス装置５１は、テーブル２上に固定した第１ブロック体５２と、この第１ブロック体５２に対向してテーブル２上に配置した第２ブロック体６０と、切断材Ｗ〜Ｗの上面に当接されて該切断材Ｗ〜Ｗをテーブル２から浮き上がらないよう押さえ付けておくための第３ブロック体７０を備えている。
第１ブロック体５２はテーブル２の上面に固定されており、その図示右側面に切断材Ｗ〜Ｗが当接されている。この第１ブロック体５２の上部には支軸７１を介して支持アーム７２が上下方向に回動可能に支持されている。この支持アーム７２は、縦片部７２Ａと横片部７２Ｂを有する概ねＬ字形状をなし、支軸７１の周囲に装着した捩りばね７３により下方（図示時計回り方向）に付勢されている。
【００２９】
上記支持アーム７２の横片部７２Ｂの先端部に、支軸７４を介して第３ブロック体７０の後端部が上下方向に回動可能に連結されている。この第３ブロック体７０は図９に示すように略矩形の平板形状をなし、その周縁には第１実施形態と同様平板形状としての剛性を持たせるためにリブ７０ｂが形成されている。また、この第３ブロック体７０は、図９に示すように平面的に見て切断刃８及びセーフティカバー９に干渉しない位置であって、極力切断刃８（切断部位）に近い部位に配置されている。
この第３ブロック体７０の横片部７２Ｂに対する下方への（図８において時計回り方向の）回動端は、該第３ブロック体７０の後端部に設けたストッパ部７０ａが、横片部７２Ｂに対して下側から当接することにより規制されている。ストッパ部７０ａが横片部７２Ｂに当接した状態では、該横片部７２Ｂの延びる方向と第３ブロック体７０が延びる方向がほぼ一致するようにストッパ部７０ａの位置が設定されている。
第３ブロック体７０の上方への回動端は実質的に規制されていない。
【００３０】
支持アーム７２の縦片部７２Ａの上端には、図示するようにＵ字形の折り曲げ部７２ａが形成されており、この折り曲げ部７２ａが切断機本体３に設けた係合ピン５ｄに上側から引き掛けられている。縦片部７２Ａの折り曲げ部７２ａが係合ピン５ｄに上側から引き掛けられていることにより、支持アーム７２の図示時計回り方向の回動が規制されている。切断機本体３を下方へ傾動させて係合ピン５ｄを図示右側へ変位させると、支持アーム７２が支軸７１を中心にして図示時計回り方向に回動する。支持アーム７２が図示時計回り方向に回動すると、図１０に示すように第３ブロック体７０が切断材Ｗ〜Ｗの上面に当接する。第３ブロック体７２は、支持アーム７２の横片部７２Ｂが横片部７２Ｂに回動可能に支持されているので、第３ブロック体７０は切断材Ｗ〜Ｗの上面に全面当たり状態で当接される。
第３ブロック体７０は、支持アーム７２が捩りばね７３により下方へ回動する方向（第３ブロック体７０を切断材Ｗ〜Ｗの上面に押し付ける方向）に付勢されていることにより、切断材Ｗ〜Ｗの上面に弾性的に押し付けられる。
第３ブロック体７０が切断材Ｗ〜Ｗの上面に当接されると、以後支持アーム７２は下方へは回動しない。従って、切断機本体３をさらに下方へ傾動させると、係合ピン５ｄは支持アーム７２から離れる。
【００３１】
次に、第２実施形態の場合、第２ブロック体６０はいわゆるクイックバイス機構６１を介してテーブル２上に配置されている。クイックバイス機構６１は、従来公知の技術であるが、簡単に説明するとテーブル２の上面に取り付けたホルダ６２と、該ホルダ６２に一定の角度範囲で回動可能に取り付けられ、内周側のねじ孔が回動中心に対して偏心しているナット６３と、該ナット６３にねじ込まれたねじ軸６４を有している。ねじ軸６４の先端には、径方向に直交して支持ピン６６が取り付けられており、この支持ピン６６を介して第２ブロック体６０がねじ軸６４の先端に取り付けられている。ねじ軸６４の後端には、該ねじ軸６４を回転操作するための円形のつまみ６５が取り付けられている。
ナット６３を一方に回動操作すると、その内周側のねじ孔とねじ軸６４との噛み合いが外れるため、該ねじ軸６４を軸方向に大きく移動させることができ、これにより当該バイス装置５１を迅速に操作することができる。ナット６３を逆方向に回動操作すると、その内周側のねじ孔がねじ軸６４に噛み合うので、該ねじ軸６４を締め込み方向に回転操作することにより第２ブロック体６０を第１ブロック体５２に接近する方向に移動させ、これにより第１及び第２ブロック体５２，６０間に切断材Ｗ〜Ｗを挟み込むことができる。
【００３２】
以上のように構成した第２実施形態の切断機５０によれば、図８に示すように切断機本体３を上動端に位置させると、係合ピン５ｄが図８において最も左側に変位するため、支持アーム７２が捩りばね７３に抗して最も反時計回り方向に回動した状態となる。この状態では、支持アーム７２の横片部７２Ｂが最も上方へ変位している。図８では、横片部７２Ｂの延び方向に沿って第３ブロック体７０を位置させた状態が示されているが、この段階で第３ブロック体７０を支軸７４を中心にして上方へ回動させることにより、該第３ブロック体７０を切断材Ｗ〜Ｗをセットすべき位置（第１及び第２ブロック体５２，６０間のスペース）の上方から退去させることができ、これによりテーブル２上への切断材Ｗ〜Ｗのセット作業を楽に行うことができる。
【００３３】
切断材Ｗ〜Ｗを第１ブロック体５２と第２ブロック体６０との間にセットし、然る後、クイックバイス機構６１のつまみ６５を把持してねじ軸６４を締め込み方向に回転操作し、これにより切断材Ｗ〜Ｗを第１ブロック体５２と第２ブロック体６０との間に挟み込んで固定する。この作業が終了した後、図８に示すように第３ブロック体７０を横片部７２Ｂの延び方向に沿った位置に戻しておく。
次に、切断機本体３を下動させる。切断機本体３の下動に伴って、係合ピン５ｄが図８において徐々に右側に変位し、これにより支持アーム７２が図８において時計回り方向に回動し、従って第３ブロック体７０が下方へ変位する。
図１０に示すように切断刃８が切断材Ｗ〜Ｗに接触する直前まで切断機本体３を下動させると、第３ブロック体７０が切断材Ｗ〜Ｗの上面に全面当たり状態で当接する。この段階では、未だ係合ピン５ｄにより支持アーム７２の回動が規制されているので、捩りばね７３の付勢力により第３ブロック体７０が切断材Ｗ〜Ｗの上面に弾性的に押圧された状態とはなっていない。
【００３４】
切断機本体３をさらに下動させて、切断刃８による切断加工が開始される段階になると、第３ブロック体７０が捩りばね７３により切断材Ｗ〜Ｗの上面に弾性的に押し付けられる状態となり、これにより切断材Ｗ〜Ｗのテーブル２からの浮き上がりが防止された状態となる。以後、切断機本体３をさらに下動させて、切断加工を進行させる間、第３ブロック体７０が切断材Ｗ〜Ｗの上面に弾性的に押し付けられた状態に保持されて、切断材Ｗ〜Ｗのテーブル２から浮き上がりが確実に防止される。なお、第３ブロック体７０が切断材Ｗ〜Ｗの上面に当接された後は、支持アーム７２は図示時計回り方向へは回動しないので、以後切断機本体３を下動させると、係合ピン５ｄは支持アーム７２の縦片部７２Ａから離れる。
図１１に示すように切断機本体３が下降端位置（ストッパボルト５ｃが台座部４ｃに当接する位置）に至ると、切断材Ｗ〜Ｗの切断加工が完了する。この段階まで、第３ブロック体７０が切断材Ｗ〜Ｗの上面に押し付けられてそのテーブル２からの浮き上がりが防止される。
【００３５】
このように、第２実施形態に係るバイス装置５１によれば、切断加工がなされている間、切断材Ｗ〜Ｗが第３ブロック体７０により押さえ付けられているので、切断刃８の切断抵抗により切断材Ｗ〜Ｗがテーブル２から浮き上がることが防止される。従って、第１実施形態と同様、第１及び第２ブロック体５２，６０により強固に固定しなくとも、切断加工時における切断材の浮き上がりを防止することができるので、切断材Ｗ〜Ｗを変形させることなく、かつテーブル２から浮き上がらせることなくスムーズに切断加工することができる。
しかも、第２実施形態の場合、第３ブロック体７０を切断材Ｗ〜Ｗの上面に当接させる操作も切断機本体３の下動操作に連動してなされるので、この点において第１実施形態の場合よりも操作が簡略化されている。
また、第２実施形態の場合、クイックバイス機構６１により第２ブロック体６０をテーブル面方向に迅速に移動させることができるので使い勝手がよい。なお、第１実施形態において、第１または第２ブロック体をクイックバイス機構を用いて移動させる構成としてもよい。
【００３６】
以上説明した第１及び第２実施形態では、切断材の一例として薄肉のＣ字形チャンネル材を複数本一度に固定して切断する場合を例示したが、一枚の板材を切断する場合、或いは木材（角材、板材）を切断する場合にも同様に適用することができる。
【図面の簡単な説明】
【図１】  本発明の第１実施形態を示す図であり、卓上マルノコ盤の側面図である。本図は、切断機本体が上動端に位置し、第３ブロック体が切断材の上面に当接された状態を示している。
【図２】  第１実施形態に係る卓上マルノコ盤の平面図である。
【図３】  第３ブロック体の支持部（第１及び第２リンクアーム）を、図１中矢印（３）方向から見た図である。
【図４】  第１実施形態に係る卓上マルノコ盤の側面図である。本図は、切断機本体が上動端に位置し、第３ブロック体が上方へ開かれた状態を示している。
【図５】  第１実施形態に係る卓上マルノコ盤の側面図である。本図は、第３ブロック体の先端部を押圧部材の下側へ差し入れて、切断材の上面に当接させる操作の途中の様子を示している。
【図６】  第１実施形態に係る卓上マルノコ盤の側面図である。本図は、切断機本体が下動して第３ブロック体の先端が押圧部材によって押さえ付けられた段階を示している。また、切断刃が切断材に接触し始めた段階を示している。
【図７】  第１実施形態に係る卓上マルノコ盤の側面図である。本図は、切断機本体が下動端に至って切断加工が完了した段階を示している。
【図８】  本発明の第２実施形態に係る卓上マルノコ盤の側面図である。本図は、切断機本体が上動端に位置している段階を示している。
【図９】  第２実施形態に係る卓上マルノコ盤の平面図である。
【図１０】  第２実施形態に係る卓上マルノコ盤の側面図である。本図は、切断機本体が下動して第３ブロック体が切断材の上面に当接され、切断刃が切断材に接触し始めた段階を示している。
【図１１】  第２実施形態に係る卓上マルノコ盤の側面図である。本図は、切断機本体が下動端に至って切断加工が完了した段階を示している。
【符号の説明】
Ｗ…切断材（軽天材：薄肉のＣ形チャンネル材）
１…切断機（第１実施形態）
２…テーブル
３…切断機本体
８…切断刃
１１…押圧部材、１１ａ…捩りばね部、１１ｂ…板ばね部
１２…第１ブロック体
１３…第２ブロック体
２０…第３ブロック体
２１…第１リンクアーム
２３…第２リンクアーム
５０…切断機（第２実施形態）
５２…第１ブロック体
６０…第２ブロック体
６１…クイックバイス機構
７０…第３ブロック体
７２…支持アーム、７２Ａ…縦片部、７２Ｂ…横片部
【図１】
0003734673.tif 000002
【図２】
0003734673.tif 000003
【図３】
0003734673.tif 000004
【図４】
0003734673.tif 000005
【図５】
0003734673.tif 000006
【図６】
0003734673.tif 000007
【図７】
0003734673.tif 000008
【図８】
0003734673.tif 000009
【図９】
0003734673.tif 000010
【図１０】
0003734673.tif 000011
【図１１】
0003734673.tif 000012